(57)【特許請求の範囲】
【請求項１】
それぞれの側壁を相互に対向させて立設し、前側部分または後側部分の一方を開口させた基礎部分を設け、この基礎部分の前記側壁上に、複数本の鋼棒を相互に平行に掛け渡して取り付けるとともに、それらの側壁上に、着座部を、脚部を介して着脱可能に取り付けて、この着座部の下部の全体にわたってかまどを設け、
側壁上にボルトにより固定したプレートに、複数本の鋼棒を取り付け、少なくとも一方のプレートに鋼棒の延在方向に長い長孔を設け、
着座部の脚部を前記プレートに取り付けてなるかまど機能を有するベンチ。
【請求項２】
両側壁の中間部に、鋼棒の支持に寄与する仕切壁を立設させてなる請求項１に記載のかまど機能を有するベンチ。
【発明の詳細な説明】
【０００１】
【発明の属する技術分野】
この発明は、公園、校庭等に設置されるベンチの改良に関し、とくに、かまどの機能を発揮可能としたベンチに関するものである。
【０００２】
【従来の技術】
地震、火災、風水害等の災害の発生時に避難場所となることのある公園、広場その他では、避難民の食事等の確保のために、その公園その他での煮炊き調理が必然的に必要になるも、従来の一般的な公園、広場等では、かまどの設備がないことから、たとえ、食料、鍋、釜等の調達が可能であったとしても、堅牢にして強固なかまどの構築はもちろん、かまど資材の調達さえもままならない場合が多い。
【０００３】
【発明が解決しようとする課題】
そこでこの発明は、公園、広場等での普段の遊技、球技その他の使用の妨げにならず、しかも、かまどの設置のための特別のスペースの確保を不要とすることを前提に、ほとんどの公園、広場等に設置されるベンチに着目してなされたものであり、従来公知のベンチに対する若干の改良の下で、災害発生時の避難場所となる公園、広場などにて、堅牢にして強固なかまどの、迅速なる使用準備を可能ならしめる、かまど機能を有するベンチを提供するものである。
【０００４】
【課題を解決するための手段】
この発明の、かまど機能を有するベンチは、それぞれの側壁を相互に対向させて立設し、前側部分または後側部分の一方を開口させた基礎部分、たとえば、両側壁と後壁との立設下で、前側部分だけを開口させた基礎部分を設け、この基礎部分の側壁上に、複数本の鋼棒を、所定の間隔をおいた相互に平行な並列姿勢で掛け渡して取り付けるとともに、それらの側壁上に、座部のみのまたは、背部をも有する着座部を、脚部を介して着脱可能に取付けて、この着座部の下部の全体にわたってかまどを設け、側壁上にボルトにより固定したプレートに、複数本の鋼棒を取り付け、少なくとも一方のプレートに鋼棒の延在方向に長い長孔を設け、着座部の脚部を前記プレートに取り付けたものである。
【０００５】
このベンチは、公園、広場、校庭等に設置されて、通常は周知のベンチと同様に、複数人の同時の着座を許容すべく機能する。
この一方で、その公園等が避難場所となった場合には、着座部の脚部を、それぞれの側壁、ひいては、基礎部分から取り外すことで、その基礎部分および、着座部の取り外しによって露出した鋼棒を、そのまま直ちにかまどとして機能させることができ、たとえば、基礎部分の前側部分の開口を焚き口として、鋼棒上に、別途準備した鍋、釜、フライパン等を載置することで、迅速に煮炊き調理を開始することができ、また、鋼棒上に直接または、焼き網を介して間接的に食料品を載置して調理することもできる。
【０００６】
そして、避難生活等の終了に当っては、かまどの主要部としての基礎部分に着座部を再度取り付けることで、ベンチを元形態に簡単に復帰させることができる。
【０００７】
従ってこのベンチによれば、公園、広場等の通常時の使用を何ら妨げることなく、しかも、かまどのための特別の設置スペースを確保することなしに、緊急時の調理等のための、堅牢にして強固なかまどの使用を簡易迅速に準備することができ、この場合の堅牢性等は、基礎部分を石造り、コンクリート造り等とすることで一層向上する。
【０００８】
かかるベンチにおいて、好ましくは、両側壁の中間部に、鋼棒の支持に寄与する仕切壁を立設させて設け、これによって、鋼棒上の荷重による、それの撓み変形を防止し、併せて、かまどの内部を二分して、それぞれのかまど部分での独立した火力の調整等を容易ならしめる。
【０００９】
またここで、複数本の鋼棒を、側壁上にボルト、たとえばアンカーボルトによって固定したプレートに取り付け、少なくとも一方のプレートに鋼棒の延在方向に長い長孔を設けることで、鋼棒の位置決め固定を容易にしてなお、それの熱膨張等を十分円滑ならしめることができる。
【００１０】
すなわち、一方の側壁上のプレートに、複数本の鋼棒の各一端部を、たとえば溶接等によって位置決め状態で固着するとともに、それらの各鋼棒の他端部を、他方の側壁上のプレートに摩擦掛合させること、または、そのプレートに対して位置決めだけを行った自由端とすること等により、鋼棒の、所期した通りの位置決め固定を、プレートの介在なしに行う場合に比し、簡単に行うことができ、鋼棒の熱膨張および収縮を、鋼棒の変形のうれいなしにスムーズに行わせることができる。
【００１１】
そしてまた、着座部を、その脚部をもってプレートに着脱可能に取り付けることにより、脚部を基礎部分に直接的に取り付ける場合に比し、位置精度の確保が容易である。
【００１２】
【発明の実施の形態】
以下にこの発明の実施の形態を図面に示すところに基づいて説明する。
図１は、この発明の実施の形態を示す正面図および側面図であり、図中１は基礎部分を、２は着座部をそれぞれ示す。
ここでは、相互に対向して位置する左右一対の側壁３，３を、たとえば現場でのコンクリート打設によって直立姿勢で立設するとともに、それらの両側壁間に、仕切壁４をもまた同様にして立設し、さらには、後側部に立設されて、それらのそれぞれの壁３，４の相互連結をもたらす後側壁５を設けることで基礎部分１を構成し、この基礎部分１の正面輪郭形状および側面形状をともにほぼ方形とするとともに、それの平面形状を、図２に示すようにほぼＥ字状とする。
【００１３】
またここでは、それぞれの側壁上に、たとえば、二本のアンカーボルト６をもって、ステンレス鋼板等とすることができるそれぞれのプレート７を締め付け固定し、そしてこれらのプレート７に挿通させた、たとえば二本のボルト８により、着座部２を、側面形状がほぼチャネル状をなす脚部９を介して基礎部分１に着脱可能に取り付ける。
【００１４】
そしてまた、それぞれのプレート７には、複数本の鋼棒、たとえば八本のステンレス丸鋼棒１０を、所定の間隔をおいた相互の平行姿勢で掛け渡して取り付ける。ここで、丸鋼棒１０のこの取り付けは、たとえば、それの各端部分をプレートに直接溶接することによって行うことができ、この場合において、丸鋼棒１０の加熱に起因するそれの熱膨張および収縮を許容するためには、たとえば、丸鋼棒１０の少なくとも一方の端部分を溶接したプレート７を、図２に例示するように、そこに設けた長孔によって、アンカーボルト６に対し、丸鋼棒１０の延在方向に幾分変位可能とすることができる。
【００１５】
なお、丸鋼棒１０のそれぞれは、たとえば、仕切壁４上に固定したプレート１１に、それらの中央部分で固定もしくは固着することもでき、この場合には、各丸鋼棒１０のそれぞれの端部分を、それぞれのプレート７上に、伸縮変位可能に位置決めすることで、丸鋼棒１０の熱変形状を十分に許容することができ、このことは、それぞれの丸鋼棒１０の各一端部分を一方のプレート７に固定もしくは固着し、他方の端部分を、他方のプレート７上に位置決めした場合にもまた同様である。
【００１６】
ここでこの位置決めは、プレート７上に設けられて、丸鋼棒１０の一本毎の密な嵌め込みを可能とする溝部材をもって行う他、丸鋼棒１０をプレート７上に押圧する板状部材等をもって行うこともでき、また、丸鋼棒１０の直径方向の変位または、その変位に加えて浮き上がり変位をも阻止する拘束部材をもって行うこともできる。
【００１７】
このように構成してなるベンチは、公園、広場等の所定位置に設置されて、通常は、その着座部２をもって複数人の同時の着座を許容すべく機能する。
この一方で、公園等が避難場所となるような緊急事態の発生時には、着座部２の脚部９の、ボルト８による締め付け固定を解除してそれを基礎部分１から取り外すことにより、残部をかまどとして機能させることができる。
【００１８】
図３はその場合を例示する斜視図であり、ステンレス丸鋼棒１０上に、たとえば鍋１２を載置するとともに、基礎部分１の前側開口を焚き口として機能させて、その内部で薪を燃やすことまたは、基礎部分内に配置したガスコンロを介してガスを燃やすこと等によって所要の煮炊きを行うことができる。
【００１９】
なおここで、鍋１２に代えて釜を使用することもでき、また、丸鋼棒上に焼き網を載置してかまどを焼き物調理に供することもできる。
そしてこれらのいずれにあっても、仕切壁４の存在の故に、それの左右各部の火力を所要に応じて容易に調整することができる。
【００２０】
従って、ここでは、通常時には、公園、広場等のベンチとして機能して、公園等の使用を何ら妨げることがなく、緊急時には、特別の占有スペースなしに、十分堅牢で強固なかまどを、簡易迅速に使用準備することができ、煮炊き調理等を速やかに開始することができる。
【００２１】
なおベンチの着座部２は、所要に応じて適宜に選択することができ、たとえば、図１に示すような座部２ａおよび背部２ｂを有するものに代えて、図４に側面図で示すような座部２ａだけを有するものとすることもできる。
【００２２】
ところで、以上のようなベンチをかまどとして機能させた後は、着座部２を、基礎部分１に再びボルト締めすることでベンチを元の形態に簡単に復帰させることができる。
【００２３】
以上この発明の実施の形態を図面に示すところに基づいて説明したが、図に示すところから後側壁を省くことで、かまどの焚き口を、前後それぞれの側に開口させることもできる。
【００２４】
【発明の効果】
かくして、この発明によれば、ほとんどの公園、広場等に設置されるベンチを改良等することで、災害発生時の避難場所となる公園等に、その公園等の、普段の使用の妨げとならず、しかも特別の設置スペースを要することなく、簡単かつ容易に使用できる、堅牢にして強固なかまどを設置することができる。
【図面の簡単な説明】
【図１】  この発明の実施の形態を示す正面図および側面図である。
【図２】  着座部を外して示す平面図である。
【図３】  かまどの使用状態を示す斜視図である。
【図４】  着座部の変更例を示す側面図である。
【符号の説明】
１  基礎部分
２  着座部
３  側壁
４  仕切壁
５  後側壁
６  アンカーボルト
７、１１  プレート
８  ボルト
９  脚部
１０  丸鋼棒
１２  鍋
【図１】
0004420555.tif 000002
【図２】
0004420555.tif 000003
【図３】
0004420555.tif 000004
【図４】
0004420555.tif 000005